【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
第１の進化型ノードＢ（ｅＮＢ）および第２のｅＮＢとの接続を確立することと、ここにおいて、前記第１のｅＮＢと前記第２のｅＮＢの各々が、それぞれのアップリンク通信のために無線リソースを前記ＵＥに提供し、
前記ＵＥにおいて、前記第１のｅＮＢと少なくとも前記第２のｅＮＢとの間のアップリンク送信電力の割振りを備える指示を、前記第１のｅＮＢから受信することと、
前記ＵＥにおいて、前記受信された指示の前記割振りによって提供されるよりも多いアップリンク送信電力を、前記第１のｅＮＢへの、または前記第２のｅＮＢへの前記それぞれのアップリンク通信のうちの１つのために割り振ることと、
前記指示に基づいて、前記ＵＥから前記第１のｅＮＢおよび前記第２のｅＮＢに前記それぞれのアップリンク通信を送信することとを備える、方法。
【請求項２】
前記第１のｅＮＢと前記第２のｅＮＢの両方のための電力ヘッドルーム情報を備える電力ヘッドルーム報告を前記ＵＥにおいて生成することと、
前記電力ヘッドルーム報告を前記第１のｅＮＢまたは前記第２のｅＮＢに送信することとをさらに備える、請求項１に記載の方法。
【請求項３】
前記電力ヘッドルーム情報が、前記第１のｅＮＢと前記第２のｅＮＢの両方からのスケジューリング情報に少なくとも一部基づき、前記第１のｅＮＢおよび前記第２のｅＮＢがリソースの異なるセット上で前記ＵＥとの通信をスケジューリングする、請求項２に記載の方法。
【請求項４】
前記第１のｅＮＢまたは前記第２のｅＮＢから受信されたトリガメッセージに応答して、前記電力ヘッドルーム報告が前記第１のｅＮＢまたは前記第２のｅＮＢに送信される、請求項２に記載の方法。
【請求項５】
前記トリガメッセージが、前記第１のｅＮＢまたは前記第２のｅＮＢがアップリンクセルをアクティブ化したことの指示を備える、請求項４に記載の方法。
【請求項６】
前記第２のｅＮＢの測定された経路損失に基づいて、前記電力ヘッドルーム報告を前記ＵＥにおいてトリガすることをさらに備える、請求項２に記載の方法。
【請求項７】
前記アップリンク送信電力を前記割り振ることが、前記ｅＮＢの一方のためのアップリンクデータまたは制御情報の、前記ｅＮＢの他方に対する優先度に基づく、請求項１に記載の方法。
【請求項８】
前記ＵＥにおいて、前記指示に基づいて、前記第１のｅＮＢまたは前記第２のｅＮＢによって制御される複数のセルの各々のアップリンク送信電力を決定することをさらに備える、請求項１に記載の方法。
【請求項９】
前記第１のｅＮＢがマスタｅＮＢを備え、前記第２のｅＮＢがセカンダリｅＮＢを備える、請求項１に記載の方法。
【請求項１０】
ユーザ機器（ＵＥ）におけるワイヤレス通信のための装置であって、
請求項１から９のうちのいずれか一項のステップを実行するように構成される手段を備える、装置。
【請求項１１】
請求項１から９のうちのいずれか一項のステップを実行するように構成されるソフトウェアコードを含むソフトウェアデバイス。
【手続補正２】
【補正対象書類名】明細書
【補正対象項目名】０２５８
【補正方法】変更
【補正の内容】
【０２５８】
[0270]添付の図面に関連して上に記載された詳細な説明は、当業者が本開示を作成または使用することを可能にするために与えられる。本開示に対する様々な修正が当業者には容易に明らかであり、本明細書で定義された一般的な原理は、本開示の趣旨または範囲から逸脱することなく他の変形形態に適用され得る。本開示全体にわたって、「例」または「例示的」という用語は、例または事例を示すものであり、言及された例についてのいかなる選好も暗示または要求しない。発明を実施するための形態は、説明される技法の理解をもたらすための具体的な詳細を含む。しかしながら、これらの技法は、これらの特定の詳細を伴わずに実践され得る。いくつかの事例では、説明された例の概念を不明瞭にすることを避けるために、よく知られている構造およびデバイスがブロック図の形態で示されている。したがって、本開示は、本明細書において説明される例および設計に限定されるべきでなく、本明細書において開示される原理および新規の特徴に合致する最も広い範囲を与えられるべきである。
以下に本願の出願当初の特許請求の範囲に記載された発明を付記する。
［Ｃ１］
ユーザ機器（ＵＥ）によるワイヤレス通信の方法であって、
第１の進化型ノードＢ（ｅＮＢ）および第２のｅＮＢとの接続を確立することと、ここにおいて、前記第１のｅＮＢと前記第２のｅＮＢの各々が、それぞれのアップリンク通信のために無線リソースを前記ＵＥに提供し、
前記ＵＥにおいて、前記第１のｅＮＢと少なくとも前記第２のｅＮＢとの間へのアップリンク送信電力の割振りを備える指示を、前記第１のｅＮＢから受信することと、
前記指示に基づいて、前記ＵＥから前記第１のｅＮＢおよび前記第２のｅＮＢに前記アップリンク通信を送信することとを備える、方法。
［Ｃ２］
前記第１のｅＮＢと前記第２のｅＮＢの両方のための電力ヘッドルーム情報を備える電力ヘッドルーム報告を前記ＵＥにおいて生成することと、
前記電力ヘッドルーム報告を前記第１のｅＮＢに送信することとをさらに備える、Ｃ１に記載の方法。
［Ｃ３］
前記電力ヘッドルーム情報が、前記第１のｅＮＢと前記第２のｅＮＢの両方からのスケジューリング情報に少なくとも一部基づき、前記第１のｅＮＢおよび前記第２のｅＮＢがリソースの異なるセット上で前記ＵＥとの通信をスケジューリングする、Ｃ２に記載の方法。
［Ｃ４］
前記第１のｅＮＢまたは前記第２のｅＮＢから受信されたトリガメッセージに応答して、前記電力ヘッドルーム報告が前記第１のｅＮＢまたは前記第２のｅＮＢに送信される、Ｃ２に記載の方法。
［Ｃ５］
前記トリガメッセージが、前記第１のｅＮＢまたは前記第２のｅＮＢがアップリンクセルをアクティブ化したことの指示を備える、Ｃ４に記載の方法。
［Ｃ６］
前記電力ヘッドルーム報告を前記第２のｅＮＢに送信することをさらに備える、Ｃ２に記載の方法。
［Ｃ７］
前記第２のｅＮＢの測定された経路損失に基づいて、前記電力ヘッドルーム報告を前記ＵＥにおいてトリガすることをさらに備える、Ｃ２に記載の方法。
［Ｃ８］
前記ＵＥによって、前記第１のｅＮＢと前記第２のｅＮＢとの間へのアップリンク送信電力の前記割振りを修正することをさらに備える、Ｃ１に記載の方法。
［Ｃ９］
アップリンク送信電力の前記割振りの前記修正が、前記ｅＮＢの一方のためのアップリンクデータまたは制御情報の、前記ｅＮＢの他方に対する優先度に基づく、Ｃ８に記載の方法。
［Ｃ１０］
前記ＵＥにおいて、前記指示に基づいて、前記第１のｅＮＢまたは前記第２のｅＮＢによって制御される複数のセルの各々のアップリンク送信電力を決定することをさらに備える、Ｃ１に記載の方法。
［Ｃ１１］
前記第１のｅＮＢがマスタｅＮＢを備え、前記第２のｅＮＢがセカンダリｅＮＢを備える、Ｃ１に記載の方法。
［Ｃ１２］
ユーザ機器（ＵＥ）におけるワイヤレス通信のための装置であって、
第１の進化型ノードＢ（ｅＮＢ）および第２のｅＮＢとの接続を確立するための手段と、ここにおいて、前記第１のｅＮＢと前記第２のｅＮＢの各々が、それぞれのアップリンク通信のために無線リソースを前記ＵＥに提供し、
前記ＵＥにおいて、前記第１のｅＮＢと少なくとも前記第２のｅＮＢとの間へのアップリンク送信電力の割振りを備える指示を、前記第１のｅＮＢから受信するための手段と、  前記指示に基づいて、前記ＵＥから前記第１のｅＮＢおよび前記第２のｅＮＢに前記アップリンク通信を送信するための手段とを備える、装置。
［Ｃ１３］
前記第１のｅＮＢと前記第２のｅＮＢの両方のための電力ヘッドルーム情報を備える電力ヘッドルーム報告を前記ＵＥにおいて生成するための手段と、
前記電力ヘッドルーム報告を前記第１のｅＮＢに送信するための手段とをさらに備える、Ｃ１２に記載の装置。
［Ｃ１４］
前記電力ヘッドルーム情報が、前記第１のｅＮＢと前記第２のｅＮＢの両方からのスケジューリング情報に少なくとも一部基づき、前記第１のｅＮＢおよび前記第２のｅＮＢがリソースの異なるセット上で前記ＵＥとの通信をスケジューリングする、Ｃ１３に記載の装置。
［Ｃ１５］
前記第１のｅＮＢまたは前記第２のｅＮＢから受信されたトリガメッセージに応答して、前記電力ヘッドルーム報告が前記第１のｅＮＢまたは前記第２のｅＮＢに送信される、Ｃ１３に記載の装置。
［Ｃ１６］
前記トリガメッセージが、前記第１のｅＮＢまたは前記第２のｅＮＢがアップリンクセルをアクティブ化したことの指示を備える、Ｃ１５に記載の装置。
［Ｃ１７］
前記電力ヘッドルーム報告を前記第２のｅＮＢに送信するための手段をさらに備える、Ｃ１３に記載の装置。
［Ｃ１８］
前記第２のｅＮＢの測定された経路損失に基づいて、前記電力ヘッドルーム報告を前記ＵＥにおいてトリガするための手段をさらに備える、Ｃ１３に記載の装置。
［Ｃ１９］
前記ＵＥによって、前記第１のｅＮＢと前記第２のｅＮＢとの間へのアップリンク送信電力の前記割振りを修正するための手段をさらに備える、Ｃ１２に記載の装置。
［Ｃ２０］
アップリンク送信電力の前記割振りの前記修正が、前記ｅＮＢの一方のためのアップリンクデータまたは制御情報の、前記ｅＮＢの他方に対する優先度に基づく、Ｃ１９に記載のデバイス。
［Ｃ２１］
前記ＵＥにおいて、前記指示に基づいて、前記第１のｅＮＢまたは前記第２のｅＮＢによって制御される複数のセルの各々のアップリンク送信電力を決定するための手段をさらに備える、Ｃ１２に記載の装置。
［Ｃ２２］
前記第１のｅＮＢがマスタｅＮＢを備え、前記第２のｅＮＢがセカンダリｅＮＢを備える、Ｃ１２に記載のデバイス。
［Ｃ２３］
ワイヤレス通信の方法であって、
第１の進化型ノードＢ（ｅＮＢ）によって、少なくとも前記第１のｅＮＢおよび第２のｅＮＢとのユーザ機器（ＵＥ）のための多重接続通信を協調させることと、
前記ＵＥのために、前記ｅＮＢにおいて、前記第１のｅＮＢと少なくとも前記第２のｅＮＢとの間へのアップリンク送信電力の割振りを決定することと、
アップリンク送信電力割振りの前記割振りを備える指示を前記第１のｅＮＢから前記ＵＥに送信することとを備える、方法。
［Ｃ２４］
前記第２のｅＮＢから前記第１のｅＮＢにおいて受信されたメッセージに基づいて、前記第１のｅＮＢと前記第２のｅＮＢとの間へのアップリンク送信電力の前記割振りを調整することをさらに備える、Ｃ２３に記載の方法。
［Ｃ２５］
前記第１のｅＮＢから前記第２のｅＮＢにアップリンク送信電力の前記割振りを送信することをさらに備える、Ｃ２３に記載の方法。
［Ｃ２６］
前記第１のｅＮＢから前記第２のｅＮＢにアップリンク送信電力の前記割振りを送信することが、
前記第１のｅＮＢと前記第２のｅＮＢとの間のＸ２インターフェースを通じて、アップリンク送信電力の前記割振りを備えるメッセージを送信することを備える、Ｃ２５に記載の方法。
［Ｃ２７］
ワイヤレス通信のための装置であって、
第１の進化型ノードＢ（ｅＮＢ）によって、少なくとも前記第１のｅＮＢおよび第２のｅＮＢとのユーザ機器（ＵＥ）のための多重接続通信を協調させるための手段と、
前記ＵＥのために、前記ｅＮＢにおいて、前記第１のｅＮＢと少なくとも前記第２のｅＮＢとの間へのアップリンク送信電力の割振りを決定するための手段と、
アップリンク送信電力割振りの前記割振りを備える指示を前記第１のｅＮＢから前記ＵＥに送信するための手段とを備える、装置。
［Ｃ２８］
前記第２のｅＮＢから前記第１のｅＮＢにおいて受信されたメッセージに基づいて、前記第１のｅＮＢと前記第２のｅＮＢとの間へのアップリンク送信電力の前記割振りを調整するための手段をさらに備える、Ｃ２７に記載の装置。
［Ｃ２９］
前記第１のｅＮＢから前記第２のｅＮＢにアップリンク送信電力の前記割振りを送信するための手段をさらに備える、Ｃ２７に記載の装置。
［Ｃ３０］
前記第１のｅＮＢから前記第２のｅＮＢにアップリンク送信電力の前記割振りを送信するための前記手段が、
前記第１のｅＮＢと前記第２のｅＮＢとの間のＸ２インターフェースを通じて、アップリンク送信電力の前記割振りを備えるメッセージを送信するための手段を備える、Ｃ２９に記載の装置。